(57)【要約】【課題】原稿サイズに対してより正確にロール紙を切断することができる画像形成装置を提供する。【解決手段】読取ライン３１１で読み取った原稿の画像データのライン画像データ数は、原稿の副走査方向の長さに対応している。パルスセンサ１３１から出力されるパルス数は、ローラ駆動機構１２により駆動される給紙ローラなどの用紙搬送速度に対応している。ライン画像データ数に基づいて、ロール紙を切断すべき長さに対応する設定パルス数を決定し、その設定パルス数が出力されたときを基準にして、カッタ機構９によりロール紙を切断する。【効果】原稿の副走査方向の長さと切断された用紙の長さとを一致させることができる。【選択図】            図３
2004226560.tif 000002
【特許請求の範囲】
【請求項１】
ロール紙に対して画像を形成できる画像形成装置であって、
原稿の主走査を繰り返し行うことにより、複数のライン画像データからなる原稿の画像データを読み取るための固定された読取ラインと、
上記読取ラインに対して原稿を移動させるように搬送することによって、原稿の副走査を行わせるための原稿搬送手段と、
画像形成のために繰り出されるロール紙の長さに比例した数のパルスを出力するパルス出力手段と、
上記読取ラインで読み取った原稿の副走査方向の長さを示すライン画像データ数に基づいて、ロール紙を切断すべき長さに対応する設定パルス数を決定する設定パルス数決定手段と、
上記設定パルス数決定手段により決定された設定パルス数が上記パルス出力手段から出力されたときを基準にして、ロール紙を所定の長さで切断する用紙切断手段とを含むことを特徴とする画像形成装置。
【請求項２】
上記読取ラインで読み取らせる原稿のサイズによって出力される用紙のサイズを入力するためのサイズ入力手段をさらに含み、
上記設定パルス数決定手段は、上記サイズ入力手段で原稿のサイズが入力された場合に、そのサイズの原稿を上記読取ラインで読み取った場合のライン画像データ数を算出し、その算出されたライン画像データ数に基づいて設定パルス数を決定する手段を含むことを特徴とする請求項１記載の画像形成装置。
【請求項３】
原稿サイズに対する画像形成時の倍率を設定するための倍率設定手段をさらに含み、
上記設定パルス数決定手段は、ライン画像データ数に基づいて算出したパルス数に、上記倍率設定手段で設定された倍率を乗じることによって設定パルス数を決定する手段を含むことを特徴とする請求項１または２記載の画像形成装置。
【請求項４】
上記設定パルス数決定手段は、ライン画像データ数に基づいて算出したパルス数を、実測された用紙の長さに基づく基準パルス数間の比例計算で補正することによって設定パルス数を決定する手段を含むことを特徴とする請求項１〜３のいずれかに記載の画像形成装置。
【請求項５】
上記設定パルス数決定手段は、ライン画像データ数に基づいて算出したパルス数に、予め定められた補正係数を乗じて補正することによって設定パルス数を決定する手段を含むことを特徴とする請求項１〜４のいずれかに記載の画像形成装置。
【請求項６】
上記補正係数は、使用するロール紙の紙質によって異なる値に設定可能であることを特徴とする請求項５記載の画像形成装置。
【発明の詳細な説明】
【０００１】
【発明の属する技術分野】
この発明は、複写機などの画像形成装置に関し、特に、ロール紙に対して画像を形成できる画像形成装置に関する。
【０００２】
【従来の技術】
従来から、巻物状に巻かれた長尺な帯状の用紙（ロール紙）に対して、読み取った原稿の画像を形成できる画像形成装置が知られている。通常、この種の画像形成装置には、ロール紙を切断するためのカッタ機構が備えられていて、画像形成後の用紙は、所定の切断位置で切断されて排出されるようになっている。
この種の画像形成装置の中には、一定位置で繰り返し主走査を行う原稿読取部に対して副走査方向に原稿を移動させることによって、原稿の画像を読み取ることができるようになっているものがある（たとえば、特許文献１参照）。
【０００３】
原稿は、たとえば原稿搬送ローラによって原稿読取部に搬送されるようになっていて、原稿搬送ローラの近傍には、原稿の先端または後端を検知するための原稿センサ（たとえば、フォトセンサ）が配置されている。
ロール紙は、たとえば、原稿の搬送を開始するタイミングと同期して、画像形成部に向けて搬送されるようになっている。そして、原稿センサで原稿の後端を検知してから所定時間経過後にカッタ機構を作動させることにより、ロール紙を原稿の副走査方向の長さと同じ長さで切断することができるようになっている。
【０００４】
【特許文献１】
特開平０６−２９７７９３号公報
【０００５】
【発明が解決しようとする課題】
しかしながら、上記従来技術では、原稿サイズに対する画像形成時の倍率を変更して画像形成を行う場合でも、原稿センサで原稿の後端を検知してから上記所定時間経過後にロール紙を切断することになる。したがって、原稿の副走査方向の長さに設定倍率を乗じた値と、切断されたロール紙の長さとが一致せず、倍率に応じた正確な切断位置でロール紙を切断することができないという問題があった。
【０００６】
この場合、切断された用紙の長さが長くなって、画像形成後の用紙の後端部に余白が形成されたり、切断された用紙の長さが短くなって、画像形成後の用紙の後端部で画像が途切れたりする場合がある。
この発明は、かかる背景のもとでなされたもので、原稿サイズに対してより正確にロール紙を切断することができる画像形成装置を提供することを目的とする。
【０００７】
【課題を解決するための手段および発明の効果】
上記目的を達成するための請求項１記載の発明は、ロール紙（Ｐ）に対して画像を形成できる画像形成装置（１）であって、原稿の主走査を繰り返し行うことにより、複数のライン画像データからなる原稿の画像データを読み取るための固定された読取ライン（３１１）と、上記読取ラインに対して原稿を移動させるように搬送することによって、原稿の副走査を行わせるための原稿搬送手段（３２，３３）と、画像形成のために繰り出されるロール紙の長さに比例した数のパルスを出力するパルス出力手段（１３１）と、上記読取ラインで読み取った原稿の副走査方向の長さを示すライン画像データ数に基づいて、ロール紙を切断すべき長さに対応する設定パルス数を決定する設定パルス数決定手段（１０１，Ｓ６，Ｓ７，Ｔ２，Ｔ６，Ｔ７）と、上記設定パルス数決定手段により決定された設定パルス数が上記パルス出力手段から出力されたときを基準にして、ロール紙を所定の長さで切断する用紙切断手段（９，１０１，Ｓ９，Ｔ４）とを含むことを特徴とする画像形成装置である。
【０００８】
なお、括弧内の英数字は、後述の実施形態における対応構成要素などを表す。以下、この項において同じ。
この構成によれば、読取ラインで読み取った原稿の画像データのライン画像データ数に基づいて設定パルス数を算出し、その設定パルス数に基づいてロール紙を切断するので、原稿の副走査方向の長さと切断された用紙の長さとを一致させることができる。
【０００９】
したがって、原稿サイズに対してより正確にロール紙を切断することができるので、切断された用紙の長さが長くなって、画像形成後の用紙の後端部に余白が形成されたり、切断された用紙の長さが短くなって、画像形成後の用紙の後端部で画像が途切れたりするのを防止できる。
請求項２記載の発明は、上記読取ライン（３１１）で読み取らせる原稿のサイズによって出力される用紙のサイズを入力するためのサイズ入力手段（１１）をさらに含み、上記設定パルス数決定手段は、上記サイズ入力手段で原稿のサイズが入力された場合に、そのサイズの原稿を上記読取ラインで読み取った場合のライン画像データ数を算出し、その算出されたライン画像データ数に基づいて設定パルス数を決定する手段（１０１，Ｓ７）を含むことを特徴とする請求項１記載の画像形成装置（１）である。
【００１０】
この構成によれば、原稿サイズが入力されている場合と入力されていない場合とで、いずれもライン画像データ数に基づいて設定パルス数を算出し、その設定パルスに基づいてロール紙を切断するので、同じサイズの原稿に基づく画像形成を行った場合に、原稿サイズが入力されている場合と入力されていない場合とで切断された用紙の長さが一致しないといったことがない。
したがって、原稿サイズに対してより正確にロール紙を切断することができる。
【００１１】
請求項３記載の発明のように、原稿サイズに対する画像形成時の倍率を設定するための倍率設定手段（１１）をさらに含み、上記設定パルス数決定手段は、ライン画像データ数に基づいて算出したパルス数に、上記倍率設定手段で設定された倍率を乗じることによって設定パルス数を決定する手段（１０１，Ｓ６，Ｓ７）を含むものであってもよい。
請求項４記載の発明は、上記設定パルス数決定手段は、ライン画像データ数に基づいて算出したパルス数を、実測された用紙の長さに基づく基準パルス数間の比例計算で補正することによって設定パルス数を決定する手段（１０１，Ｔ３，Ｔ６）を含むことを特徴とする請求項１〜３のいずれかに記載の画像形成装置（１）である。
【００１２】
比例計算による補正を行うためには、前段階として、たとえば、予め定められた複数の調整ポイント（Ｐ１〜Ｐ３）で切断した用紙の長さをそれぞれ測定し、それらの値を入力するなどして、各調整ポイントにおけるパルス数と、実際に切断された用紙に長さに対応するパルス数（基準パルス数）との誤差を調整する。
この発明の構成によれば、ライン画像データ数に基づいて算出したパルス数を、調整ポイント間の比例計算で補正し、補正後の設定パルス数に基づいてロール紙を切断することができるので、原稿サイズに対してさらに正確にロール紙を切断することができる。
【００１３】
請求項５記載の発明は、上記設定パルス数決定手段は、ライン画像データ数に基づいて算出したパルス数に、予め定められた補正係数を乗じて補正することによって設定パルス数を決定する手段（１０１，Ｔ７）を含むことを特徴とする請求項１〜４のいずれかに記載の画像形成装置（１）である。
この構成によれば、ライン画像データ数に基づいて算出したパルス数に予め定められた補正係数を乗じて補正を行うことにより、原稿サイズに対してさらに正確にロール紙を切断することができる。
【００１４】
パルス数に予め定められた補正係数を乗じて補正することによって設定パルス数を決定する手段は、切断すべき用紙の長さ（算出したパルス数）が所定値以上の場合にだけ補正を行うものであってもよい。
請求項６記載の発明のように、上記補正係数は、使用するロール紙（Ｐ）の紙質（普通紙、フィルム、第２原図など）によって異なる値に設定可能であれば、ライン画像データ数に基づいて算出したパルス数に紙質に対応した補正係数を乗じて、良好に補正を行うことができる。
【００１５】
【発明の実施の形態】
以下には、図面を参照して、この発明の実施形態について具体的に説明する。
図１は、この発明の一実施形態に係る画像形成装置１の構成を示す概略断面図である。なお、図１において右側を前方、左側を後方として説明する。
この画像形成装置１は、たとえば、日本工業規格（ＪＩＳ）のＡ列０番（「Ａ０」という。以下同様。）などの幅広サイズの用紙に対して画像形成を行うことができる複写機である。画像形成装置１は、たとえば、その外形が略直方体形状のハウジング２により区画されており、原稿の画像を読み取るための原稿読取部３、使用する用紙を収容するための用紙収容部４１，４２，４３、搬送されてくる用紙に原稿読取部３で読み取った原稿の画像データに基づくトナー像を転写するための画像形成部５などを備えている。
【００１６】
原稿読取部３には、たとえば、左右方向に沿って互いに平行に延びる２つの原稿搬送ローラ３２，３３が備えられている。ハウジング２の上面には、原稿をセットするための載置台２１が設けられていて、原稿は、その画像が下方を向くようにして、載置台２１上を手前側から後側（原稿搬送ローラ３２側）へとスライドされることによりセットされる。
原稿搬送ローラ３２の手前側および後側には、たとえば、原稿の先端または後端を検知するための第１および第２原稿センサ３５，３６が配置されている。これらの第１および第２原稿センサ３５，３６は、たとえば、フォトセンサなどで構成されている。セットする原稿の先端が第１原稿センサ３５に対向する位置に到達すると、当該第１原稿センサ３５により原稿の先端が検知され、検知信号が出力される。そして、この第１原稿センサ３５からの検知信号に応答して原稿搬送ローラ３２が原稿搬送方向（図１における時計回り）に回転されることにより、原稿が後側（第２原稿センサ３６側）に搬送される。
【００１７】
原稿の先端が第２原稿センサ３６に対向する位置に到達すると、当該第２原稿センサ３５により原稿の先端が検知され、検知信号が出力される。そして、この第２原稿センサ３６からの検知信号に応答して、原稿搬送ローラ３２の回転が停止される。これにより、原稿の先端部が原稿搬送ローラ３２に挟まれた（ニップされた）状態となり、１次原稿搬送が完了する。
その後、たとえばハウジング２の上面に配置された操作部１１（図３参照）の操作によって画像形成動作が開始されると、原稿搬送ローラ３２が再び回転され、原稿がさらに後側へと搬送される（２次原稿搬送）。２次原稿搬送では、原稿が後方へと搬送される過程で、透明なコンタクトガラス（図示せず）上を通過する。このコンタクトガラスの下方にはコンタクトイメージセンサ（ＣＩＳ）３１が固定配置されており、このコンタクトイメージセンサ３１により、コンタクトガラス上を通過する原稿の画像を下方から読み取ることができるようになっている。
【００１８】
また、コンタクトイメージセンサ３１の上方には、たとえば、左右方向に延びる押えローラ３４が、コンタクトガラスに上方から対向するように配置されている。この押えローラ３４は、コンタクトガラス上を通過する原稿がコンタクトガラスの表面から浮かないように押え付けるためのものである。
２次原稿搬送は、第２原稿センサ３６により原稿の後端が検知されてから所定時間後に終了し、これにより原稿の読取りが完了する。
【００１９】
使用する用紙は、たとえば、上下に並べて配置された３つの用紙収容部（上段の用紙収容部４１、中段の用紙収容部４２、下段の用紙収容部４３）に収容することができる。中段および下段の用紙収容部４２，４３には、たとえば、巻物状に巻かれた長尺な帯状の用紙（ロール紙Ｐ）を収容可能である。一方、上段の用紙収容部４１には、たとえば、ロール紙Ｐをセットするためのロール紙用カセット、または、所定のサイズに予め切断された用紙（カット紙）をセットするためのカット紙用カセットのいずれかを選択して装着可能となっている（図１では、ロール紙用カセットが装着されている）。各用紙収容部４１〜４３には、それらの用紙収容部４１〜４３に収容されている用紙を送り出すための給紙ローラ４１１，４２１，４３１が備えられている。
【００２０】
用紙収容部４１〜４３の後側には、たとえば、各用紙収容部４１〜４３から給紙ローラ４１１〜４２１により送り出された用紙をハウジング２内の上部に配置された画像形成部５へと案内するための用紙搬送路７が、上下方向に延びている。用紙搬送路７の途中には、画像形成部５側に向かって順にフィードローラ７１、レジストローラ７２および転写前ローラ７３が配置されている。用紙を搬送するための各種ローラ（給紙ローラ４１１〜４３１、フィードローラ７１、レジストローラ７２など）は、複数の連動部材（たとえば、ギア、プーリおよびベルトなど）を含むローラ駆動機構１２（図２参照）により回転駆動されるようになっている。
【００２１】
画像形成部５は、たとえば、図１における反時計回りに回転駆動される略円筒形状の感光体５１の他、メインチャージャ５２、ＬＥＤプリントヘッド５３、現像装置５４、転写装置５５およびクリーニング装置５６などを備えている。
画像形成時には、まず、感光体５１の表面が、メインチャージャ５２の放電によって一様に帯電される。この帯電された感光体５１の表面に対して、コンタクトイメージセンサ３１で読み取った原稿の画像データに基づく光がＬＥＤプリントヘッド５３から照射されることにより、感光体５１の表面が選択的に露光される。これにより、感光体５１の表面には、いわゆる静電潜像が形成される。そして、静電潜像が形成された感光体５１の表面には、現像装置５４によりトナーが付着され、用紙に転写すべきトナー像が形成される。
【００２２】
画像形成時に、選択されたいずれかの用紙収容部４１〜４３から用紙搬送路７を通って画像形成部５側に送られてきた用紙は、その先端部がレジストローラ７２に到達した時点で一旦停止される（１次給紙）。そして、上記態様で感光体５１の表面に形成されたトナー像が転写装置５５に対向する位置にくるタイミングと、用紙が転写位置（感光体５１と転写装置５５との間）に到達するタイミングとが合うように、レジストローラ７２の回転が再開（２次給紙）されることにより、感光体５１の表面に形成されたトナー像が用紙に転写される。
【００２３】
トナー像転写後の用紙は、定着ローラ６へと導かれ、この定着ローラ６により搬送される過程で所定の定着処理がなされた後、排出ローラ８から機外に排出される。また、トナー像転写後の感光体５１の表面に残留しているトナーは、クリーニング装置５６により回収される。
用紙搬送路７の途中には、たとえばフィードローラ７１とレジストローラ７２との間に、カッタ機構９が配置されている。このカッタ機構９には、たとえば、用紙を切断するための切断部材（ロータリカッタやワイヤカッタなど）が備えられている。ロール紙Ｐを使用する場合には、カッタ機構９の働きにより、用紙収容部４１〜４３から画像形成部５に向けて送り出されたロール紙Ｐが、用紙搬送路７内を搬送される過程で所定の長さに切断される。
【００２４】
図２は、ローラ駆動機構１２の一部の構成を示す概略側面図である。
ローラ駆動機構１２に備えられたモータ１２１の回転軸１２１Ａには、軸ギア１２２が同軸に取り付けられている。この軸ギア１２２には、たとえば第１従動ギア１２４が噛み合っており、この第１従動ギア１２４には、第２従動ギア１２３が同軸に取り付けられている。
モータ１２１が回転駆動されると、軸ギア１２２、第１従動ギア１２４、第２従動ギア１２３を介して、プーリ１２８，１３２，１３３に架け回されたベルト１３５が回転され、さらに伝達ギア１３４を介して、複数（たとえば、３つ）のプーリ１２６に架け回されたベルト１２７が回転される。ベルト１３５およびベルト１２７には、それぞれ、テンションローラ１３６，１２５により張力が付与されている。
【００２５】
各プーリ１２６には、さらに別のギア（図示せず）が連結されていて、これらのギアを介してモータ１２１の駆動力が各種ローラ（給紙ローラ４１１〜４３１、フィードローラ７１、レジストローラ７２など）に向かって伝達される。たとえば、プーリ１２６には伝達ギア１３７が連結されており、ベルト１２７の回転に伴って、複数（たとえば、３つ）のプーリ１３８に架け回されたベルト１３９が回転される。ベルト１３９には、テンションローラ１４０により張力が付与されている。なお、定着ローラ６は、ローラ駆動機構１２とは別個に設けられた駆動機構（図示せず）によって回転されるようになっている。
【００２６】
一方、第２従動ギア１２３は、たとえばプーリ１２８を介して、パルス板ギア１２９に連結されている。パルス板ギア１２９には、たとえば円板形状のパルス板１３０が同軸に取り付けられている。したがって、モータ１２１が回転駆動されると、軸ギア１２２、第１従動ギア１２４、第２従動ギア１２３、プーリ１２８およびパルス板ギア１２９を介して、パルス板１３０が周方向に回転するようになっている。
【００２７】
パルス板１３０には、たとえば、複数のスリット孔（図示せず）が周方向に並べて形成されていて、これらのスリット孔の回転軌跡に対向する位置には、フォトインタラプタなどで構成されるパルスセンサ１３１が配置されている。パルスセンサ１３１は、パルス板１３０に形成された複数のスリット孔の回転軌跡上に光を照射して、その照射光のスリット孔に対する通過／遮断に応じてパルスを出力するものである。このパルスセンサ１３１から出力されるパルス数に基づいてパルス板１３０の回転数を検出することができるようになっている。
【００２８】
この実施形態では、用紙搬送時のモータ１２１の回転数は、たとえば１００［ｒｐｍ］であって、このモータ１２１の駆動に伴って回転する給紙ローラ４１１〜４３１により搬送されるロール紙Ｐの搬送速度は、たとえば８０［ｍｍ／ｓｅｃ］である。また、モータ１２１の駆動に伴ってパルスセンサ１３１から出力されるパルス数は、たとえば８０［ｐｕｌｓｅ／ｓｅｃ］である。
この場合、パルスセンサ１３１からの１［ｐｕｌｓｅ］の出力に対応する給紙ローラ４１１〜４３１の用紙搬送距離は、１「ｍｍ」である。ただし、パルスセンサ１３１から出力されるパルス数に対する給紙ローラ４１１〜４３１の用紙搬送距離の値は、上記値に限られるものではない。また、ロール紙Ｐの繰り出し量に応じた数のパルスを発生する手段は、上記のような構成（パルス板１３０とパルスセンサ１３１）に限られるものではない。
【００２９】
図３は、画像形成装置１の電気的構成を示すブロック図である。
画像形成装置１内には、当該画像形成装置１全体を制御するための制御部１０が備えられている。制御部１０は、たとえば、ＣＰＵ１０１、メモリ１０２、タイマ１０３およびカウンタ１０４を含むマイクロコンピュータなどで構成されている。
制御部１０には、原稿読取部３、画像形成部５、カッタ機構９、操作部１１、ローラ駆動機構１２、第１原稿センサ３５、第２原稿センサ３６およびパルスセンサ１３１などが電気的に接続されている。
【００３０】
原稿読取部３のコンタクトイメージセンサ３１には、主走査方向（左右方向）に延びる読取ライン３１１が備えられていて、この読取ライン３１１による主走査方向の電気的な走査によって、原稿の主走査が達成されるようになっている。一方、原稿の副走査は、原稿搬送ローラ３２，３３によって原稿が手前側から後側へと搬送されることにより達成される。読取ライン３１１で原稿の画像を読み取った場合、主走査の回数と同数のライン画像データが読み取られ、その複数のライン画像データからなる原稿の画像データは、メモリ１０２に一旦記憶される。
【００３１】
この実施形態では、原稿を副走査方向に１［ｍｍ］だけ読み取るのに必要な読取ライン３１１による主走査の回数は、たとえば２４回である。すなわち、原稿の画像を読取ライン３１１で読み取った場合、副走査方向の長さ１［ｍｍ］につき２４［ｌｉｎｅ］のライン画像データが得られるようになっている。
操作部１１では、たとえば、原稿サイズに対する画像形成時の倍率を設定することができるようになっている。倍率が変更された場合であっても、原稿の副走査の速度（すなわち、原稿の搬送速度）は変更されることなく、設定倍率１００％の場合の副走査速度で画像データが読み取られる。そして、読み取られた画像データに対して設定倍率に応じた変倍率が乗除されることにより、画像データが拡大／縮小される。すなわち、設定倍率が１００％よりも大きい場合（拡大）は、読み取った実際の画像データよりもデータ数が多くなり、設定倍率が１００％よりも小さい場合（縮小）は、読み取った実際の画像データよりもデータ数が少なくなる。
【００３２】
図４は、ロール紙Ｐを切断する際のＣＰＵ１０１による制御内容を説明するためのフローチャートである。
ＣＰＵ１０１は、たとえば操作部１１の操作によって当該画像形成装置１における画像形成動作が開始されるか否かを監視している（ステップＳ１）。画像形成動作が開始されると（ステップＳ１でＹＥＳ）、ＣＰＵ１０１は、原稿読取部３における原稿の読取り（２次原稿搬送）を開始させ（ステップＳ２）、所定時間経過後に、用紙収容部４１〜４３からのロール紙Ｐの給紙（２次給紙）を開始させる（ステップＳ３）。そして、ＣＰＵ１０１は、ロール紙Ｐが画像形成部５の転写位置に到達するタイミングに合わせて、原稿読取部３で読み取った原稿の画像データに基づく画像形成を開始させる（ステップＳ４）。
【００３３】
用紙収容部４１〜４３からのロール紙Ｐの給紙タイミング（２次給紙のタイミング）は、カッタ機構９によるロール紙Ｐの切断タイミングが原稿の読取完了のタイミングに追いつかない程度のタイミングに設定されている。
その後、ＣＰＵ１０１は、操作部１１の操作によって原稿サイズが設定されているか否かを判定する（ステップＳ５）。そして、原稿サイズが設定されていない場合には（ステップＳ５でＮＯ）、ＣＰＵ１０１は、読取ライン３１１で読み取った原稿の画像データのライン画像データ数（１［ｍｍ］につき２４［ｌｉｎｅ］）と設定倍率とに基づいて、用紙切断位置に応じたパルス数（設定パルス数）、すなわちロール紙Ｐの２次給紙開始から切断すべきタイミングまでにパルスセンサ１３１から出力されるパルス数（１［ｍｍ］につき１［ｐｕｌｓｅ］）を算出する（ステップＳ６）。
【００３４】
たとえば、読取ライン３１１で読み取った原稿の画像データのライン画像データ数が２４０００［ｌｉｎｅ］で、設定倍率が１００％の場合には、原稿の副走査方向の長さは２４０００／２４＝１０００［ｍｍ］であって、設定パルス数は１０００［ｐｕｌｓｅ］となる。設定倍率が１００％でない場合には、上記のようにして算出したパルス数に対して更に設定倍率を乗じることにより、設定パルス数を算出することとなる。
【００３５】
一方、原稿サイズが設定されている場合には（ステップＳ５でＹＥＳ）、ＣＰＵ１０１は、その原稿サイズと設定倍率とに基づいて、設定パルス数を算出する（ステップＳ７）。より具体的には、まず、設定された原稿サイズに基づいて、その原稿を読取ライン３１１で読み取った場合のライン画像データ数（１［ｍｍ］につき２４［ｌｉｎｅ］）が算出され、そのライン画像データ数に基づいて算出されたパルス数（２４［ｌｉｎｅ］につき１［ｐｕｌｓｅ］）に設定倍率が乗じられることにより、設定パルス数が算出される。
【００３６】
ＣＰＵ１０１は、用紙収容部４１〜４３からロール紙Ｐを搬送しつつパルスセンサ１３１から出力されるパルス数をカウンタ１０４でカウントし、そのカウント値が上記のようにして算出された設定パルス数に到達するか否かを監視する（ステップＳ８）。そして、カウンタ１０４のカウント値が設定パルス数に到達すれば（ステップＳ８でＹＥＳ）、ＣＰＵ１０１は、カッタ機構９によりロール紙Ｐを切断する（ステップＳ９）。
【００３７】
この実施形態では、原稿サイズが設定されていない場合でも、読取ライン３１１で読み取った原稿の画像データのライン画像データ数と設定倍率とに基づいて設定パルス数を算出し、その設定パルス数に基づいてロール紙Ｐを切断するので、原稿の副走査方向の長さに設定倍率を乗じた値と、切断された用紙の長さとを一致させることができる。したがって、原稿サイズに対してより正確にロール紙Ｐを切断することができるので、切断された用紙の長さが長くなって、画像形成後の用紙の後端部に余白が形成されたり、切断された用紙の長さが短くなって、画像形成後の用紙の後端部で画像が途切れたりするのを防止できる。
【００３８】
また、原稿サイズが設定されている場合と設定されていない場合とで、いずれもライン画像データ数に基づいて設定パルス数を算出し、その設定パルスに基づいてロール紙Ｐを切断するので、同じサイズの原稿に基づく画像形成を行った場合に、原稿サイズが設定されている場合と設定されていない場合とで切断された用紙の長さが一致しないといったことがない。
画像形成装置１に備えられたレジストローラ７２、転写前ローラ７３、感光体５１および定着ローラ６によるロール紙Ｐの搬送速度は、必ずしも一致しない。すなわち、転写前ローラ７３および感光体５１の搬送速度は略一致するが、たとえば、レジストローラ７２の搬送速度は転写前ローラ７３や感光体５１よりも遅く、定着ローラ６の搬送速度は転写前ローラ７３や感光体５１よりも速く設定されている。これにより、ロール紙Ｐにしわなどが生じるのを防止できるようになっている。
【００３９】
このような構成の場合、ロール紙Ｐの先端がレジストローラ７２から転写前ローラ７３に到達するまでの搬送速度に対して、転写前ローラ７３から感光体５１を介して定着ローラ６に到達するまでの搬送速度の方が速くなり、定着ローラ６に到達した後の搬送速度はさらに速くなる。したがって、カウンタ１０４によるパルス数のカウント値に基づいて算出される用紙の長さと、実際に切断されて排出ローラ８から排出される画像形成後の用紙の長さとの間には誤差が生じる。
【００４０】
そこで、上記のようなカウンタ１０４によるパルス数のカウント値に基づく用紙の長さと、実際に切断される用紙の長さとの誤差を補正するための処理（パルス数補正処理）を実行できるようになっていてもよい。
図５は、パルス数補正処理について説明するための図である。
パルス数補正処理を実行するためには、前段階として、たとえば、予め定められた複数の調整ポイント（たとえば、Ｐ１＝２９７［ｐｕｌｓｅ］、Ｐ２＝８００［ｐｕｌｓｅ］、Ｐ３＝１２００［ｐｕｌｓｅ］の３ポイント）で切断した用紙の長さをそれぞれ測定し、それらの値を操作部１１で入力するなどして、各調整ポイントＰ１〜Ｐ３におけるパルス数と、実際に切断された用紙に長さに対応するパルス数（１［ｍｍ］につき１［ｐｕｌｓｅ］）との誤差を調整する必要がある。ただし、調整ポイントは、Ｐ１〜Ｐ２の３ポイントに限らず、２ポイントであってもよいし、４ポイント以上であってもよい。
【００４１】
具体的には、まず、パルス数が２９７［ｐｕｌｓｅ］の調整ポイントＰ１でロール紙Ｐが切断され、その切断された用紙が排出される。その後、切断された用紙の長さを測定して、その値を操作部１１で入力すると、用紙の長さ２９７［ｍｍ］に対応するパルス数がその誤差分だけ調整される。たとえば、切断された用紙の長さが２９４［ｍｍ］である場合には、その値を入力すると、用紙の長さ２９７［ｍｍ］に対応するパルス数２９７［ｐｕｌｓｅ］が、誤差分（２９７−２９４＝３［ｐｕｌｓｅ］）だけ加算され、３００［ｐｕｌｓｅ］となる。
【００４２】
同様にして、パルス数が８００［ｐｕｌｓｅ］の調整ポイントＰ２で切断された用紙の長さが、たとえば８０２［ｍｍ］であれば、その値を入力すると、用紙の長さ８００［ｍｍ］に対応するパルス数８００［ｐｕｌｓｅ］が、誤差分（８０２−８００＝２［ｐｕｌｓｅ］）だけ減算され、７９８［ｐｕｌｓｅ］となる。
さらに、パルス数が１２００［ｐｕｌｓｅ］の調整ポイントＰ３で切断された用紙の長さが、たとえば１１９９［ｍｍ］であれば、その値を入力すると、用紙の長さ１２００［ｍｍ］に対応するパルス数１２００［ｐｕｌｓｅ］が、誤差分（１２００−１１９９＝１［ｐｕｌｓｅ］）だけ加算され、１２０１［ｐｕｌｓｅ］となる。
【００４３】
ただし、用紙の吸湿状態などに起因して用紙の長さの測定値にばらつきが生じるため、図５に示すように、誤差調整後のパルス数（たとえば、３００［ｐｕｌｓｅ］、７９８［ｐｕｌｓｅ］、１２０１［ｐｕｌｓｅ］など）における切断後の用紙の長さには、±１［ｍｍ］程度の誤差が生じる。
パルス数補正処理を実行した場合には、図４で説明したような方法で算出された設定パルス数が、上述のように誤差調整された各調整ポイント間（調整ポイントＰ１およびＰ２、調整ポイントＰ２およびＰ３）の比例計算によって補正される。
【００４４】
より具体的に説明すると、設定パルス数が８００［ｐｕｌｓｅ］以下の場合には、パルス数２９７［ｐｕｌｓｅ］、８００［ｐｕｌｓｅ］に対応する２つの調整ポイントＰ１，Ｐ２を結ぶ直線の比例係数を算出し、その直線上の設定パルス数に対応するパルス数を比例計算によって算出する。また、設定パルス数が８０１〜１２００［ｐｕｌｓｅ］の場合には、パルス数８００［ｐｕｌｓｅ］、１２００［ｐｕｌｓｅ］に対応する２つの調整ポイントＰ２，Ｐ３を結ぶ直線の比例係数を算出し、その直線上の設定パルス数に対応するパルス数を比例計算によって算出する。
【００４５】
このようにして補正された設定パルス数に基づいてロール紙Ｐを切断すれば、切断すべき用紙の長さが１２００［ｍｍ］以下の場合には、原稿サイズに対してより正確にロール紙Ｐを切断することができる。したがって、切断された用紙の長さが長くなって、画像形成後の用紙の後端部に余白が形成されたり、切断された用紙の長さが短くなって、画像形成後の用紙の後端部で画像が途切れたりするのを防止できる。
【００４６】
切断すべき用紙の長さが１２００［ｍｍ］よりも長い場合にも、パルス数８００［ｐｕｌｓｅ］、１２００［ｐｕｌｓｅ］に対応する２つの調整ポイントＰ２，Ｐ３を結ぶ直線の比例係数を算出し、その直線上の設定パルス数に対応するパルス数を比例計算によって算出することが考えられるが、この場合、図５に示すように、実際に切断された用紙の長さにかなりの誤差が生じる（カット長Ｃ１およびカット長Ｃ４）。
【００４７】
すなわち、調整ポイントＰ２での誤差調整後の設定パルス数（７９８［ｐｕｌｓｅ］）に基づく切断後の用紙の長さが８０１［ｍｍ］であって、調整ポイントＰ３での誤差調整後の設定パルス数（１２０１［ｐｕｌｓｅ］）に基づく切断後の用紙の長さが１２０１［ｍｍ］の場合や、調整ポイントＰ２での誤差調整後の設定パルス数（７９８［ｐｕｌｓｅ］）に基づく切断後の用紙の長さが７９９［ｍｍ］であって、調整ポイントＰ３での誤差調整後の設定パルス数（１２０１［ｐｕｌｓｅ］）に基づく切断後の用紙の長さが１１９９［ｍｍ］の場合には、比例計算によって算出される用紙長さ（カット長Ｃ２（設定パルス６０００［ｐｕｌｓｅ］では６００１［ｍｍ］）およびカット長Ｃ３（設定パルス６０００［ｐｕｌｓｅ］では５９９９［ｍｍ］））に大きな誤差はないが、調整ポイントＰ２での誤差調整後の設定パルス数（７９８［ｐｕｌｓｅ］）に基づく切断後の用紙の長さが７９９［ｍｍ］であって、調整ポイントＰ３での誤差調整後の設定パルス数（１２０１［ｐｕｌｓｅ］）に基づく切断後の用紙の長さが１２０１［ｍｍ］の場合や、調整ポイントＰ２での誤差調整後の設定パルス数（７９８［ｐｕｌｓｅ］）に基づく切断後の用紙の長さが８０１［ｍｍ］であって、調整ポイントＰ３での誤差調整後の設定パルス数（１２０１［ｐｕｌｓｅ］）に基づく切断後の用紙の長さが１１９９［ｍｍ］の場合には、比例計算によって算出される用紙長さ（カット長Ｃ１（設定パルス６０００［ｐｕｌｓｅ］では６０２５［ｍｍ］）およびカット長Ｃ４（設定パルス６０００［ｐｕｌｓｅ］では５９７５［ｍｍ］））に大きな誤差が生じる。
【００４８】
上述のような設定パルス数の誤差調整を用紙の最大長さ（たとえば、６０００［ｍｍ］）に対応するパルス数（６０００［ｐｕｌｓｅ］）まで一定間隔ごとに行えば、切断すべき用紙の長さが１２００［ｍｍ］よりも長い場合であっても、各間隔での比例計算によって原稿サイズに対して正確にロール紙Ｐを切断することができるが、このように用紙の最大長さまで誤差調整を行うのは煩雑であるとともに、大量の用紙を使用することになり、コストがかかってしまう。
【００４９】
そこで、この実施形態では、設定パルス数の誤差調整は１２００［ｐｕｌｓｅ］までとし、１２００［ｐｕｌｓｅ］以降の範囲に対しては、上述のような方法とは異なる方法でパルス数補正処理を行うようにしている。すなわち、使用するロール紙Ｐの紙質に応じて予め決定されている補正係数を設定パルス数に乗じることによってパルス数補正を行うようになっている。
図６は、各紙質に応じた補正係数および補正前後における切断された用紙の長さの測定結果の一例を示す図である。なお、図６では、ロール紙Ｐの幅が８４１［ｍｍ］の場合を示している。
【００５０】
この実施形態では、たとえば、通常使用される普通紙の他に、ＯＨＰ（ｏｖｅｒｈｅａｄ  ｐｒｏｊｅｃｔｏｒ）シートなどのフィルムや、トレーシングペーパなどの第２原図といった異なる紙質ごとに、補正係数を決定することができるようになっている。
より具体的に説明すると、たとえば用紙の最大長さ（６０００［ｍｍ］）に対応するパルス数（６０００［ｐｕｌｓｅ］）で普通紙からなるロール紙Ｐを切断した場合に、その切断された用紙の長さが５９８５［ｍｍ］であったときには、補正係数を１．００３に決定する。これにより、その後の普通紙からなるロール紙Ｐの切断時には、１２０１〜６０００［ｐｕｌｓｅ］の範囲内では、設定パルス数に１．００３が乗じられることによりパルス数補正が行われ、そのパルス数補正後の設定パルス数に基づいてロール紙Ｐが切断される。たとえば、設定パルス数６０００［ｐｕｌｓｅ］をパルス数補正した場合、そのパルス数補正後の設定パルス数に基づいて切断された用紙（普通紙）の長さは、６００３［ｍｍ］である。
【００５１】
パルス数６０００［ｐｕｌｓｅ］でフィルムからなるロール紙Ｐを切断した場合に、その切断された用紙の長さが６００６［ｍｍ］であったときには、補正係数を０．９９９に決定する。これにより、その後のフィルムからなるロール紙Ｐの切断時には、１２０１〜６０００［ｐｕｌｓｅ］の範囲内では、設定パルス数に０．９９９が乗じられることによりパルス数補正が行われ、そのパルス数補正後の設定パルス数に基づいてロール紙Ｐが切断される。たとえば、設定パルス数６０００［ｐｕｌｓｅ］をパルス数補正した場合、そのパルス数補正後の設定パルス数に基づいて切断された用紙（フィルム）の長さは、６０００［ｍｍ］である。
【００５２】
パルス数６０００［ｐｕｌｓｅ］で第２原図からなるロール紙Ｐを切断した場合に、その切断された用紙の長さが５９９５［ｍｍ］であったときには、補正係数を１．００１に決定する。これにより、その後の第２原図からなるロール紙Ｐの切断時には、１２０１〜６０００［ｐｕｌｓｅ］の範囲内では、設定パルス数に１．００１が乗じられることによりパルス数補正が行われ、そのパルス数補正後の設定パルス数に基づいてロール紙Ｐが切断される。たとえば、設定パルス数６０００［ｐｕｌｓｅ］をパルス数補正した場合、そのパルス数補正後の設定パルス数に基づいて切断された用紙（第２原図）の長さは、６００１［ｍｍ］である。
【００５３】
この構成によれば、切断すべき用紙の長さが１２００［ｍｍ］よりも大きい場合には、選択したロール紙Ｐの紙質に対応した補正係数を設定パルス数に乗じて、良好にパルス数補正を行うことができる。したがって、原稿サイズに対してより正確にロール紙Ｐを切断することができるので、切断された用紙の長さが長くなって、画像形成後の用紙の後端部に余白が形成されたり、切断された用紙の長さが短くなって、画像形成後の用紙の後端部で画像が途切れたりするのを防止できる。
【００５４】
図７は、パルス数補正処理を実行する場合のＣＰＵ１０１による制御内容を示すフローチャートである。パルス数補正処理を行う場合、図４のステップＳ８以降のＣＰＵ１０１による制御が、以下のような制御内容となる。
ＣＰＵ１０１は、まず、図４のステップＳ６，Ｓ７で予め設定されたパルス数が８００［ｐｕｌｓｅ］以下であるか否かを判定する（ステップＴ１）。パルス数が８００［ｐｕｌｓｅ］以下の場合には（ステップＴ１でＹＥＳ）、ＣＰＵ１０１は、２つの調整ポイントＰ１，Ｐ２間で比例計算を行うことによりパルス数補正を実行した後（ステップＴ２）、その補正後の設定パルス数に応じたタイミング、すなわち補正後の設定パルス数にカウンタ１０４のカウント値が到達すれば（ステップＴ３でＹＥＳ）、カッタ機構９によりロール紙Ｐを切断する（ステップＴ４）。
【００５５】
パルス数が８００［ｐｕｌｓｅ］よりも大きく１２００［ｐｕｌｓｅ］以下の場合には（ステップＴ５でＹＥＳ）、ＣＰＵ１０１は、２つの調整ポイントＰ２，Ｐ３間で比例計算を行うことによりパルス数補正を実行した後（ステップＴ６）、その補正後の設定パルス数にカウンタ１０４のカウント値が到達すれば（ステップＴ３でＹＥＳ）、カッタ機構９によりロール紙Ｐを切断する（ステップＴ４）。
【００５６】
パルス数が１２００［ｐｕｌｓｅ］よりも大きい場合には（ステップＴ５でＮＯ）、ＣＰＵ１０１は、紙質ごとに予め決定されている補正係数を設定パルス数に乗じることによりパルス数補正を実行した後（ステップＴ７）、その補正後の設定パルス数にカウンタ１０４のカウント値が到達すれば（ステップＴ３でＹＥＳ）、カッタ機構９によりロール紙Ｐを切断する（ステップＴ４）。
この発明は、以上の実施形態の内容に限定されるものではなく、請求項記載の範囲内において種々の変更が可能である。
【００５７】
たとえば、上記実施形態では、１つの現像装置５４を備え、用紙に対して単色画像を形成する画像形成装置１について説明したが、この発明は、複数色分の現像装置を備え、用紙に対してフルカラー画像を形成可能な画像形成装置にも適用可能である。
また、上記実施形態では、画像形成装置として幅広サイズの用紙に対して画像形成を行うことができる複写機を例にとって説明したが、この発明は、ロール紙を使用するものであれば、主にＡ４サイズやＢ５サイズの用紙に対して画像形成を行うような画像形成装置にも適用可能である。
【図面の簡単な説明】
【図１】この発明の一実施形態に係る画像形成装置の構成を示す概略断面図である。
【図２】ローラ駆動機構の一部の構成を示す概略側面図である。
【図３】画像形成装置の電気的構成を示すブロック図である。
【図４】ロール紙を切断する際のＣＰＵによる制御内容を説明するためのフローチャートである。
【図５】パルス数補正処理について説明するための図である。
【図６】各紙質に応じた補正係数および補正前後における切断された用紙の長さの測定結果の一例を示す図である。
【図７】パルス数補正処理を実行する場合のＣＰＵによる制御内容を示すフローチャートである。
【符号の説明】
１  画像形成装置
９  カッタ機構
１１  操作部
３２，３３  原稿搬送ローラ
１０１  ＣＰＵ
１３１  パルスセンサ
３１１  読取ライン
Ｐ  ロール紙
【図１】
2004226560.tif 000003
【図２】
2004226560.tif 000004
【図３】
2004226560.tif 000005
【図４】
2004226560.tif 000006
【図５】
2004226560.tif 000007
【図６】
2004226560.tif 000008
【図７】
2004226560.tif 000009